(57)【要約】【課題】投写面上に画像を表示させずに、投写面上における画像の表示領域を設定することのできる技術を提供する。【解決手段】プロジェクタは、投写面上に表示される画像を表す表示画像データを生成するための表示画像データ生成部と、表示画像データに応じて画像を形成する光を射出するための画像光形成装置と、画像光形成装置から射出された光を投写面上に投写するための投写光学系と、を備える。プロジェクタは、さらに、投写面を撮影するための撮影部と、撮影部によって撮影された撮影画像を表示するための表示部と、表示部に表示された撮影画像内の情報を用いて、投写面上における画像の表示領域を設定することによって、プロジェクタの表示条件を決定するための表示条件決定部と、を備える。プロジェクタは、決定された表示条件に従って、投写面上に画像を表示する。【選択図】  図３
2004304472.tif 000002
【特許請求の範囲】
【請求項１】
投写面上に画像を表示するためのプロジェクタであって、
原画像データを用いて、前記投写面上に表示される画像を表す表示画像データを生成するための表示画像データ生成部と、
前記表示画像データに応じて画像を形成する光を射出するための画像光形成装置と、
前記画像光形成装置から射出された光を前記投写面上に投写するための投写光学系と、
を備え、
前記プロジェクタは、さらに、
前記投写面を撮影するための撮影部と、
前記撮影部によって撮影された撮影画像を表示するための表示部と、
前記表示部に表示された前記撮影画像内の情報を用いて、前記投写面上における画像の表示領域を設定することによって、前記プロジェクタの表示条件を決定するための表示条件決定部と、
を備え、
前記プロジェクタは、前記表示条件に従って、前記投写面上に画像を表示することを特徴とするプロジェクタ。
【請求項２】
請求項１記載のプロジェクタであって、
前記表示条件決定部は、
前記表示領域を示す設定画像を生成し、前記設定画像を前記撮影画像と共に前記表示部に表示させるための設定画像生成部と、
前記撮影画像と前記設定画像との関係の調整をユーザに許容するためのユーザ調整部と、
を備える、プロジェクタ。
【請求項３】
請求項２記載のプロジェクタであって、
前記ユーザ調整部は、ユーザに前記設定画像の調整のみを許容する、プロジェクタ。
【請求項４】
請求項２または３記載のプロジェクタであって、さらに、
前記投写光学系に含まれるレンズ群の配置を調整するための投写光学系調整部を備え、
前記表示条件決定部は、さらに、
前記投写面までの距離を測定するための距離センサを備え、
前記表示条件決定部は、前記撮影画像内の前記設定画像のサイズと前記測定された距離とに応じて、前記投写光学系調整部によって利用される前記投写光学系の変倍条件を作成する、プロジェクタ。
【請求項５】
請求項４記載のプロジェクタであって、
前記表示条件決定部は、さらに、前記測定された距離に応じて、前記投写光学系調整部によって利用される前記投写光学系の合焦条件を作成する、プロジェクタ。
【請求項６】
請求項４または５記載のプロジェクタであって、
前記表示条件決定部は、前記測定された距離が所定の条件を満足しない場合には、ユーザに通知する、プロジェクタ。
【請求項７】
請求項４ないし６のいずれかに記載のプロジェクタであって、
前記設定画像生成部は、前記設定画像と共に、前記変倍条件の変更によって設定可能な最大表示領域に対応する最大サイズと、前記変倍条件の変更によって設定可能な最小表示領域に対応する最小サイズと、を示す参照画像を、前記表示部に表示させる、プロジェクタ。
【請求項８】
請求項４ないし７のいずれかに記載のプロジェクタであって、
前記設定画像生成部は、前記設定画像のサイズの調整範囲を、前記変倍条件の変更によって設定可能な最大表示領域に対応する最大サイズと、前記変倍条件の変更によって設定可能な最小表示領域に対応する最小サイズと、の間に制限する、プロジェクタ。
【請求項９】
請求項４ないし７のいずれかに記載のプロジェクタであって、
前記設定画像のサイズが、前記変倍条件の変更によって設定可能な最小表示領域に対応する最小サイズよりも小さく設定される場合には、
前記表示条件決定部は、さらに、前記撮影画像内の設定画像のサイズと前記測定された距離とに応じて、画像データ縮小条件を作成し、
前記表示画像データ生成部は、前記画像データ縮小条件に従って、前記原画像データに対して縮小処理を実行する、プロジェクタ。
【請求項１０】
請求項４ないし９のいずれかに記載のプロジェクタであって、
前記表示条件決定部は、さらに、前記設定画像の形状に応じて、画像データ変形条件を作成し、
前記表示画像データ生成部は、前記画像データ変形条件に従って、前記原画像データに対して形状変更処理を実行する、プロジェクタ。
【請求項１１】
請求項１ないし１０のいずれかに記載のプロジェクタであって、さらに、
外部から電力の供給が無い場合に、前記撮影部と前記表示部と前記表示条件決定部との動作を可能とするバッテリを備える、プロジェクタ。
【請求項１２】
投写面上に画像を表示するプロジェクタ用のアダプタであって、
前記投写面を撮影するための撮影部と、
前記撮影部によって撮影された撮影画像を表示するための表示部と、
前記表示部に表示された前記撮影画像内の情報を用いて、前記投写面上における画像の表示領域を設定することによって、前記プロジェクタの表示条件を決定するための表示条件決定部と、
を備え、
前記アダプタは、さらに、
前記プロジェクタに前記表示条件に従って前記投写面上に画像を表示させるためのデータを、前記プロジェクタに送信するための送信部を備えることを特徴とするプロジェクタ用アダプタ。
【請求項１３】
請求項１２記載のプロジェクタ用アダプタであって、さらに、
前記表示条件を決定するのに必要なプロジェクタに関する情報を、前記プロジェクタから受信するための受信部を備える、プロジェクタ用アダプタ。
【発明の詳細な説明】
【０００１】
【発明の属する技術分野】
この発明は、プロジェクタに関し、特に、投写面上に表示される画像の表示領域を設定するための技術に関する。
【０００２】
【従来の技術】
プロジェクタは、投写面上に画像を拡大して表示できるため、プレゼンテーション等に多く利用されている。プロジェクタを用いてプレゼンテーションを行う場合には、まず、ユーザが投写面上に画像を表示させる。そして、ユーザは、表示された画像を見ながら、画像のサイズ等を調整し、表示領域の設定を行う。
【０００３】
なお、プロジェクタに関する従来技術としては、例えば、特許文献１が挙げられる。
【０００４】
【特許文献１】
特開２００１−１７４９１５号公報
【０００５】
【発明が解決しようとする課題】
しかしながら、投写面上に画像を表示させずに、投写面上における画像の表示領域を設定したいという要望があった。例えば、各人が個別に準備したプロジェクタを用いて順次プレゼンテーションを行う場合を想定すると、他人のプレゼンテーション時間中に、自己のプロジェクタの表示領域の設定を行うことは困難である。このため、自己のプレゼンテーション時間中に、画像の表示領域の設定を行う必要がある。しかしながら、この場合には、自己のプレゼンテーション時間が、表示領域の設定作業によって短縮されてしまう。
【０００６】
この発明は、従来技術における上述の課題を解決するためになされたものであり、投写面上に画像を表示させずに、投写面上における画像の表示領域を設定することのできる技術を提供することを目的とする。
【０００７】
【課題を解決するための手段およびその作用・効果】
上述の課題の少なくとも一部を解決するため、本発明の第１の装置は、投写面上に画像を表示するためのプロジェクタであって、
原画像データを用いて、前記投写面上に表示される画像を表す表示画像データを生成するための表示画像データ生成部と、
前記表示画像データに応じて画像を形成する光を射出するための画像光形成装置と、
前記画像光形成装置から射出された光を前記投写面上に投写するための投写光学系と、
を備え、
前記プロジェクタは、さらに、
前記投写面を撮影するための撮影部と、
前記撮影部によって撮影された撮影画像を表示するための表示部と、
前記表示部に表示された前記撮影画像内の情報を用いて、前記投写面上における画像の表示領域を設定することによって、前記プロジェクタの表示条件を決定するための表示条件決定部と、
を備え、
前記プロジェクタは、前記表示条件に従って、前記投写面上に画像を表示することを特徴とする。
【０００８】
この装置では、投写面を撮影した撮影画像が表示部に表示されるため、撮影画像内の情報を用いることにより、投写面上に画像を表示させずに、投写面上における画像の表示領域を設定することが可能となる。
【０００９】
上記の装置において、
前記表示条件決定部は、
前記表示領域を示す設定画像を生成し、前記設定画像を前記撮影画像と共に前記表示部に表示させるための設定画像生成部と、
前記撮影画像と前記設定画像との関係の調整をユーザに許容するためのユーザ調整部と、
を備えるようにしてもよい。
【００１０】
こうすれば、ユーザは、表示部に表示される撮影画像と設定画像との関係を確認しながら、画像の表示領域を設定することができる。
【００１１】
上記の装置において、
前記ユーザ調整部は、ユーザに前記設定画像の調整のみを許容するようにしてもよい。
【００１２】
上記の装置において、さらに、
前記投写光学系に含まれるレンズ群の配置を調整するための投写光学系調整部を備え、
前記表示条件決定部は、さらに、
前記投写面までの距離を測定するための距離センサを備え、
前記表示条件決定部は、前記撮影画像内の前記設定画像のサイズと前記測定された距離とに応じて、前記投写光学系調整部によって利用される前記投写光学系の変倍条件を作成するようにしてもよい。
【００１３】
このように、投写光学系の変倍条件を調整すれば、画像の表示領域の設定を容易に行うことができる。
【００１４】
上記の装置において、
前記表示条件決定部は、さらに、前記測定された距離に応じて、前記投写光学系調整部によって利用される前記投写光学系の合焦条件を作成するようにしてもよい。
【００１５】
こうすれば、投写光学系の合焦条件を容易に設定することができる。
【００１６】
上記の装置において、
前記表示条件決定部は、前記測定された距離が所定の条件を満足しない場合には、ユーザに通知するようにしてもよい。
【００１７】
こうすれば、ユーザは、プロジェクタと投写面との間の距離が適切でないことを知ることができる。
【００１８】
上記の装置において、
前記設定画像生成部は、前記設定画像と共に、前記変倍条件の変更によって設定可能な最大表示領域に対応する最大サイズと、前記変倍条件の変更によって設定可能な最小表示領域に対応する最小サイズと、を示す参照画像を、前記表示部に表示させるようにしてもよい。
【００１９】
こうすれば、ユーザは、参照画像を利用して、設定画像を適切なサイズに容易に設定することができる。
【００２０】
上記の装置において、
前記設定画像生成部は、前記設定画像のサイズの調整範囲を、前記変倍条件の変更によって設定可能な最大表示領域に対応する最大サイズと、前記変倍条件の変更によって設定可能な最小表示領域に対応する最小サイズと、の間に制限するようにしてもよい。
【００２１】
こうすれば、ユーザは、設定画像のサイズを許容された範囲内で容易に調整することができる。
【００２２】
あるいは、上記の装置において、
前記設定画像のサイズが、前記変倍条件の変更によって設定可能な最小表示領域に対応する最小サイズよりも小さく設定される場合には、
前記表示条件決定部は、さらに、前記撮影画像内の設定画像のサイズと前記測定された距離とに応じて、画像データ縮小条件を作成し、
前記表示画像データ生成部は、前記画像データ縮小条件に従って、前記原画像データに対して縮小処理を実行するようにしてもよい。
【００２３】
こうすれば、変倍条件の変更のみでは設定不可能な比較的小さな領域を表示領域として設定することができる。
【００２４】
また、上記の装置において、
前記表示条件決定部は、さらに、前記設定画像の形状に応じて、画像データ変形条件を作成し、
前記表示画像データ生成部は、前記画像データ変形条件に従って、前記原画像データに対して形状変更処理を実行するようにしてもよい。
【００２５】
こうすれば、投写面上に画像を表示させずに、投写面上における画像の表示領域の形状を容易に変更することができる。
【００２６】
上記の装置において、さらに、
外部から電力の供給が無い場合に、前記撮影部と前記表示部と前記表示条件決定部との動作を可能とするバッテリを備えるようにしてもよい。
【００２７】
こうすれば、外部から電力の供給が無い場合にも、表示領域の設定を行うことができる。
【００２８】
本発明の第２の装置は、投写面上に画像を表示するプロジェクタ用のアダプタであって、
前記投写面を撮影するための撮影部と、
前記撮影部によって撮影された撮影画像を表示するための表示部と、
前記表示部に表示された前記撮影画像内の情報を用いて、前記投写面上における画像の表示領域を設定することによって、前記プロジェクタの表示条件を決定するための表示条件決定部と、
を備え、
前記アダプタは、さらに、
前記プロジェクタに前記表示条件に従って前記投写面上に画像を表示させるためのデータを、前記プロジェクタに送信するための送信部を備えることを特徴とする。
【００２９】
この装置では、第１の装置と同様に、撮影部と表示部と表示条件決定部とが設けられていると共に、送信部が設けられている。このため、アダプタを既存のプロジェクタに適用することによって、第１の装置と同様に、投写面上に画像を表示させずに、投写面上における画像の表示領域を設定することが可能となる。
【００３０】
上記の装置において、さらに、
前記表示条件を決定するのに必要なプロジェクタに関する情報を、前記プロジェクタから受信するための受信部を備えるようにしてもよい。
【００３１】
こうすれば、アダプタと接続されるプロジェクタに適した表示条件を容易に作成することができる。
【００３２】
なお、この発明は、プロジェクタ、プロジェクタの機能を制御するための制御装置および制御方法、制御装置の機能を実現するためのコンピュータプログラム、そのコンピュータプログラムを記録した記録媒体、そのコンピュータプログラムを含み搬送波内に具現化されたデータ信号、等の種々の態様で実現することができる。
【００３３】
【発明の実施の形態】
Ａ．第１実施例：
Ａ−１．プロジェクタの外観：
次に、本発明の実施の形態を実施例に基づき説明する。図１は、本発明の第１実施例としてのプロジェクタＰＪの外観を示す説明図である。プロジェクタＰＪは、略直方体形状の筐体８００を備えている。筐体８００の前面からは、投写光学系３４０が突出している。投写光学系３４０の側方には、撮影部５１０と距離センサ５４０とが設けられている。また、筐体８００の上面には、表示部５２０と操作部６００とが設けられている。
【００３４】
Ａ−２．プロジェクタの光学的構成：
図２は、プロジェクタＰＪの光学的構成を示す説明図である。プロジェクタＰＪは、照明光学系１００と、色光分離光学系２００と、リレー光学系２２０と、３つの液晶ライトバルブ３００Ｒ，Ｇ，Ｂと、クロスダイクロイックプリズム３２０と、投写光学系３４０と、を備えている。なお、図２において、投写光学系３４０は、簡略化して描かれている。
【００３５】
照明光学系１００から射出された光は、色光分離光学系２００において赤（Ｒ），緑（Ｇ），青（Ｂ）の３つの色光に分離される。３つの色光は、それぞれ、液晶ライトバルブ３００Ｒ，Ｇ，Ｂにおいて画像データに応じて変調される。なお、各液晶ライトバルブは、液晶パネルとその光入射面側および光射出面側に配置された偏光板とを備えている。偏光板は、冷却のために、液晶パネルと離間していることが好ましい。液晶ライトバルブ３００Ｒ，Ｇ，Ｂにおいて画像データに応じて変調された３つの色光は、クロスダイクロイックプリズム３２０で合成される。合成光は、投写光学系３４０によってスクリーンＳＣ上に投写され、この結果、画像が表示される。なお、図２に示すようなプロジェクタの各部の構成および機能については、例えば、本願出願人によって開示された特開平１０−３２５９５４号公報に詳述されているので、本明細書における詳細な説明は省略する。
【００３６】
なお、本実施例における液晶ライトバルブ３００Ｒ，Ｇ，Ｂが、本発明における画像光形成装置に相当する。
【００３７】
Ａ−３．プロジェクタの電気的構成：
図３は、プロジェクタＰＪの電気的構成を示すブロック図である。なお、図３では、図２の光学系の図示は、かなり簡略化されている。プロジェクタＰＪは、メイン処理部４００を備えており、メイン処理部は、ＣＰＵ４０１と、表示画像処理部４１０と、表示条件作成部４２０と、表示条件メモリ４３０と、を含んでいる。なお、ＣＰＵ４０１は、プロジェクタの全体を制御する。
【００３８】
メイン処理部４００には、光源ランプ駆動部１１０と、投写光学系調整部３５０と、画像入力部４１２と、撮影部５１０と、表示部５２０と、タッチパネル５３０と、距離センサ５４０と、操作部６００と、リモコンインタフェース（ＩＦ）部６１０と、外部電源供給部７１０と、バッテリ７２０と、が接続されている。
【００３９】
光源ランプ駆動部１１０は、照明光学系１００（図２）に含まれる光源ランプを駆動する。投写光学系調整部３５０は、投写光学系３４０の複数のレンズで構成されたレンズ群の配置を調整する。
【００４０】
画像入力部４１２は、外部から与えられた画像信号を表示画像処理部４１０に供給する。具体的には、画像入力部４１２は、コンピュータからのＲＧＢ信号やビデオレコーダからのコンポジット信号などを受け取って、表示画像処理部４１０に供給することができる。また、画像入力部４１２は、メモリカードＭＣ内に記憶された画像データを読み出して、表示画像処理部４１０に供給することができる。
【００４１】
表示画像処理部４１０は、画像入力部４１２から供給された原画像データを処理して、投写面上に表示される画像を表す表示画像データを生成する。そして、表示画像処理部４１０は、表示画像データを液晶ライトバルブ３００Ｒ，Ｇ，Ｂに供給する。
【００４２】
撮影部５１０は、ＣＣＤセンサなどのイメージセンサと、レンズと、を備えており、投写面を撮影する。距離センサ５４０は、例えば、カメラのオートフォーカスなどに利用される超音波センサであり、プロジェクタと投写面との間の距離を測定する。撮影部５１０と距離センサ５４０との検出結果は、表示条件作成部４２０に与えられる。
【００４３】
表示条件作成部４２０は、投写面上における画像の表示領域を示す設定画像を生成するための設定画像生成部４２２を備えている。表示条件作成部４２０は、撮影部５１０によって撮影された撮影画像と、設定画像生成部４２２によって生成された設定画像と、を合成して、表示部５２０に表示させる。表示部５２０の表示画面上には、タッチパネル５３０が設けられている。ユーザがタッチパネル５３０を操作すると、設定画像生成部４２２は、与えられた操作情報に応じて、設定画像のサイズや形状を調整する。表示条件作成部４２０は、調整済みの設定画像に整合する表示条件を作成し、表示条件メモリ４３０内に格納する。なお、表示条件としては、光学系調整条件や画像データ処理条件が含まれる。ただし、本実施例では、光学系調整条件に注目して説明する。
【００４４】
操作部６００は、ユーザの操作に従って、メイン処理部４００に種々の処理を実行させる。例えば、ユーザは、操作部６００を操作することによって、表示部５２０にメニュー画像を表示させることができる。そして、ユーザは、メニュー画像に従って、画像のコントラストなどの種々の設定を行うことができる。
【００４５】
リモコンＩＦ部６１０は、操作部６００と同様に、ユーザによるリモコンＲＣの操作に従って、メイン処理部４００に種々の処理を実行させる。
【００４６】
外部電源供給部７１０は、外部から供給される商用電源（交流電源）を、プロジェクタＰＪに適した内部電源（直流電源）に変換する変換器である。また、バッテリ７２０は、プロジェクタＰＪに適した内部電源（直流電源）である。バッテリ７２０は、例えば、外部から電力の供給が無い場合に使用される。なお、本実施例では、バッテリ７２０からの電力供給によって、８つの要素４０１，４２０，４３０，５１０，５２０，５３０，５４０，６００の動作が可能となる。
【００４７】
なお、本実施例における６つの要素４０１，４２０，４３０，５３０，５４０，６００が、本発明における表示条件決定部に相当する。また、タッチパネル５３０が、本発明におけるユーザ調整部に相当する。
【００４８】
Ａ−４．投写面と表示領域との関係：
本実施例の投写光学系３４０は、フォーカスレンズと変倍レンズとを備えるズームレンズである。ここで、ズームレンズとは、合焦状態を維持したまま、換言すれば、焦平面を一定の位置に保ったまま、焦点距離（画角）を連続して変更できるレンズである。具体的には、フォーカスレンズの配置を調整することによって、投写光学系の合焦条件を成立させることができ、合焦条件が成立する場合には、投写表示される画像は、合焦状態で表示される。そして、変倍レンズの配置を、合焦状態が維持されるように連続的に変更することによって、投写光学系の変倍条件が連続的に変更される。このような投写光学系３４０を利用すれば、投写面上に表示される画像の合焦状態が維持されたまま、画像のサイズを連続的に変更することができる。
【００４９】
なお、図１では、フォーカスレンズの配置を調整するためのフォーカスリング３４１と、変倍レンズの配置を調整するための変倍リング３４２とが、図示されている。
【００５０】
図４は、投写光学系３４０の投写可能な領域と撮影部５１０の撮影可能な領域との関係を示す説明図である。図示するように、プロジェクタＰＪは、投写光学系３４０の変倍条件を変更することによって、換言すれば、変倍レンズの配置を変更することによって、投写面上に種々のサイズの画像を表示することができる。
【００５１】
具体的には、投写光学系の変倍レンズがテレ端（最大焦点距離）に配置される場合には、合焦条件は、プロジェクタと投写面との間の距離ＬがＬｔ１〜Ｌｔ２の範囲内で成立する。また、投写光学系の変倍レンズがワイド端（最小焦点距離）に配置される場合には、合焦条件は、距離ＬがＬｗ１〜Ｌｗ２の範囲内で成立する。すなわち、プロジェクタは、変倍レンズがテレ端に配置される場合には、距離ＬがＬｔ１〜Ｌｔ２の範囲内で画像を表示することができ、変倍レンズがワイド端に配置される場合には、距離ＬがＬｗ１〜Ｌｗ２の範囲内で画像を表示することができる。
【００５２】
図４では、距離ＬがＬｓの位置に投写面が存在する。変倍レンズがテレ端に設定される場合には、プロジェクタは幅Ｄｔの画像を投写面上に表示することができる。一方、変倍レンズがワイド端に設定される場合には、プロジェクタは幅Ｄｗの画像を投写面上に表示することができる。変倍レンズは、テレ端からワイド端まで連続的に変更可能であるため、プロジェクタＰＪは、幅Ｄｔ〜Ｄｗの範囲内で種々のサイズの画像を表示することができる。
【００５３】
撮影部５１０は、図中、細線で示すように、プロジェクタの投写可能な領域よりも広い領域を撮影する。本実施例では、撮影部５１０の画角は一定である。このため、距離ＬがＬｓの位置に投写面が存在する場合には、撮影部５１０は、幅Ｄｃの領域を撮影する。そして、幅Ｄｃの領域が、撮影画像として表示部５２０に表示される。
【００５４】
Ａ−５．表示条件の決定：
前述のように、従来では、投写面上における画像の表示領域の設定は、投写面上に画像が表示された状態で行われていた。しかしながら、本実施例では、撮影部５１０によって撮影された撮影画像を用いることによって、投写面上に画像を表示させずに表示領域を設定することが可能となっている。
【００５５】
図５は、プロジェクタの表示条件の決定手順を示すフローチャートである。なお、図５では、外部から電力の供給が無い場合を想定して説明する。
【００５６】
ステップＳ１０１では、ユーザが操作部６００に設けられたスイッチを操作することによって、表示条件の決定機能をオン状態に設定する。このとき、図３に示す８つの要素４０１，４２０，４３０，５１０，５２０，５３０，５４０，６００には、バッテリ７２０から電力が供給される。
【００５７】
ステップＳ１０２では、撮影部５１０によって投写面が撮影される。図６は、投写面を示す説明図である。図６では、投写面である部屋の壁面に、スクリーンＳＣが設けられている。そして、プロジェクタＰＪは、スクリーンＳＣに対向する位置に配置されている。撮影部５１０は、図中、破線で示す領域を撮影する。図７は、表示部５２０に表示された撮影画像ＣＩを示す説明図である。図示するように、表示部５２０には、撮影部５１０によって撮影された領域（図６の破線で示す領域）が表示されている。
【００５８】
ステップＳ１０３（図５）では、距離センサ５４０によって投写面までの距離が測定される。そして、ステップＳ１０４〜Ｓ１０６の処理は、測定された距離に基づいて実行される。
【００５９】
ただし、測定された距離が所定の条件を満足しない場合には、表示条件作成部４２０は、表示部５２０にメッセージを表示させる。具体的には、測定された距離が所定の最短距離より短い場合には、「投写面が近すぎる」旨のメッセージが表示される。一方、測定された距離が所定の最長距離よりも長い場合には、「投写面が遠すぎる」旨のメッセージが表示される。
【００６０】
本実施例では、上記の所定の条件は、投写光学系３４０の投写可能な範囲に応じて設定されている。すなわち、図４で説明したように、距離ＬがＬｗ１未満またはＬｔ２を越える場合には、投写光学系の合焦条件は成立しないため、プロジェクタは、投写面上に画像を合焦状態で表示させることができない。また、距離ＬがＬｗ１〜Ｌｔ１またはＬｗ２〜Ｌｔ２の範囲内の場合には、投写光学系の変倍条件の変更可能な範囲が制限され、表示領域の変更可能な範囲も制限される。このため、本実施例では、表示条件作成部４２０は、測定された距離ＬがＬｔ１未満またはＬｗを越える場合に、上記のメッセージを表示する。
【００６１】
なお、本実施例では、距離ＬがＬｗ１〜Ｌｔ１またはＬｗ２〜Ｌｔ２の範囲内であっても、距離が適切でない旨のメッセージが表示されるが、これに代えて、距離ＬがＬｗ１未満またはＬｔ２を越える場合だけに、上記のメッセージが表示されるようにしてもよい。
【００６２】
また、本実施例では、表示部５２０にメッセージを表示させることによって、ユーザへの通知が行われているが、これに代えて、あるいは、これと共に、図示しないスピーカを用いて、音声でユーザへの通知が行われるようにしてもよい。このように、通知が行われれば、ユーザは、プロジェクタと投写面との間の距離が適切でないことを知ることができる。そして、ユーザは、プロジェクタを移動させることによって、プロジェクタと投写面との間の距離を変更することができるため、表示領域の設定作業に要する時間を短縮することができる。
【００６３】
ステップＳ１０４では、表示条件作成部４２０は、測定された距離に応じて、表示部５２０に設定画像を表示させる。図８は、表示部５２０に表示された設定画像ＳＩを示す説明図である。図示するように、設定画像ＳＩは、略枠形状を有しており、撮影画像ＣＩに重畳されている。設定画像ＳＩの各辺の中央部分には、設定画像ＳＩのサイズを変更するためのサイズハンドル部Ｈｓが設けられている。
【００６４】
なお、表示部５２０に最初に表示される設定画像ＳＩのサイズは、測定された距離と、表示条件メモリ４３０から読み出された前回の変倍条件と、に応じて決定されている。図４から分かるように、撮影画像ＣＩの幅は、測定された距離Ｌｓから決定される撮影領域の幅Ｄｃに対応する。また、最初に表示されるべき設定画像ＳＩの幅は、測定された距離Ｌｓと前回の変倍条件とに応じて決定される表示領域の幅Ｄｆに対応する。設定画像生成部４２２は、撮影領域の幅Ｄｃと表示領域の幅Ｄｆとの関係（比）に整合するサイズで、撮影画像ＣＩ内に設定画像ＳＩを表示させる。
【００６５】
なお、本実施例では、表示部５２０に最初に表示される設定画像ＳＩのサイズは、前回の変倍条件を用いて決定されているが、これに代えて、所定の変倍条件を用いて決定されるようにしてもよい。
【００６６】
ステップＳ１０５（図５）では、ユーザによって、表示領域の設定が行われる。具体的には、ユーザは、撮影画像ＣＩと設定画像ＳＩとの関係を確認しながら、設定画像ＳＩのサイズを調整することによって、投写面上における画像の表示領域を決定する。
【００６７】
より具体的には、ユーザは、設定画像ＳＩの４つのサイズハンドル部Ｈｓのうちのいずれか１つを操作することによって、設定画像ＳＩのサイズを調整する。図９は、設定画像ＳＩのサイズの調整方法を示す説明図である。なお、図９では、撮影画像ＣＩの図示は省略されているが、実際には、設定画像ＳＩのサイズを変更する際にも、撮影画像ＣＩは表示されている。
【００６８】
設定画像ＳＩのサイズの変更は、まず、ユーザがタッチパネル５３０上で、設定画像ＳＩのサイズハンドル部Ｈｓをタップし、次に、サイズハンドル部Ｈｓを設定画像の内側または外側に向かってドラッグすることによって、実行される。図９（Ａ）では、設定画像ＳＩの右側の１つのサイズハンドル部Ｈｓが設定画像ＳＩの内側に向かってドラッグされており、設定画像ＳＩのサイズは小さく変更される。一方、図９（Ｂ）では、設定画像ＳＩの右側の１つのサイズハンドル部Ｈｓが設定画像ＳＩの外側に向かってドラッグされており、設定画像ＳＩのサイズは大きく変更される。
【００６９】
ただし、本実施例では、設定画像ＳＩのサイズの調整範囲が制限されている。具体的には、設定画像ＳＩのサイズは、投写光学系３４０の変倍条件を変更することによって設定可能な最大表示領域に対応する最大サイズと、最小表示領域に対応する最小サイズと、の間に制限されている。図４に示すように、距離ＬがＬｓの位置に投写面が存在する場合には、幅Ｄｗの表示領域が上記の最大サイズに対応し、幅Ｄｔの表示領域が上記の最小サイズに対応する。このように、設定画像ＳＩのサイズの調整範囲を制限すれば、ユーザは、設定画像ＳＩのサイズを許容された範囲内で容易に調整することができる。
【００７０】
ステップＳ１０６（図５）では、ユーザが操作部６００に設けられた保存ボタンを操作することによって、表示条件が保存される。
【００７１】
具体的には、表示条件作成部４２０は、ステップＳ１０３で測定された距離に応じて投写光学系の合焦条件を作成する。なお、合焦条件は、フォーカスレンズの配置を示しており、プロジェクタと投写面との間の第１の距離（より具体的には、投写光学系３４０と投写面との間の距離）と、投写光学系３４０から液晶ライトバルブ３００Ｒ，Ｇ，Ｂまでの第２の距離と、を用いて作成可能である。本実施例では、第１の距離は、測定によって求められ、第２の距離は、既知である。そして、表示条件作成部４２０は、作成された合焦条件を表示条件メモリ４３０内に格納する。
【００７２】
また、表示条件作成部４２０は、ステップＳ１０５で得られた調整済みの設定画像ＳＩに整合する変倍条件を作成する。なお、変倍条件は、変倍レンズの配置を示しており、図４に示す関係に基づいて、作成可能である。例えば、撮影画像ＣＩが幅Ｄｃの撮影領域に対応し、調整済みの設定画像ＳＩが幅Ｄｔの表示領域に対応する場合には、変倍レンズをテレ端に配置するための変倍条件が作成される。そして、表示条件作成部４２０は、作成された変倍条件を表示条件メモリ４３０内に格納する。
【００７３】
ステップＳ１０７では、ユーザが操作部６００に設けられたスイッチを操作することによって、表示条件の決定機能をオフ状態に設定する。このとき、バッテリ７２０から図３に示す８つの要素４０１，４２０，４３０，５１０，５２０，５３０，５４０，６００への電力の供給が断たれる。
【００７４】
なお、図５では、外部から電力の供給が無い場合を想定しているため、バッテリ７２０から供給される電力が利用されているが、外部から電力の供給が有る場合には、バッテリ７２０からの電力供給は行われず、外部からの電力が利用される。
【００７５】
図１０は、プロジェクタＰＪによって投写面上に表示される画像ＰＩを示す説明図である。図示するように、プロジェクタＰＪには、外部から電力が供給されており、プロジェクタＰＪは、コンピュータＰＣから与えられた画像ＰＩを表示している。
【００７６】
図１０では、プロジェクタＰＪは、作成された表示条件に従って画像ＰＩを表示している。具体的には、投写光学系調整部３５０は、表示条件メモリ４３０から読み出された合焦条件に従って、投写光学系３４０のフォーカスレンズの配置を決定している。また、投写光学系調整部３５０は、表示条件メモリ４３０から読み出された変倍条件に従って、投写光学系３４０の変倍レンズの配置を決定している。これにより、投写画像ＰＩは、合焦状態でスクリーンＳＣ上に表示される。また、投写画像ＰＩは、撮影画像内の調整済みの設定画像ＳＩに整合するサイズでスクリーンＳＣ上に表示される。
【００７７】
以上説明したように、本実施例では、投写面を撮影した撮影画像が表示部に表示されるため、撮影画像内の設定画像を用いることにより、投写面上に画像を表示させずに、投写面上における画像の表示領域を設定することができる。これにより、例えば、プレゼンテーション等において、自己のプレゼンテーション時間が表示領域の設定作業のために短縮されるのを防止することができる。また、本実施例では、投写面上に画像を表示させずに表示領域の設定を行うため、従来のように、光源ランプの発光が安定するまで待つ必要がなく、設定作業を迅速に開始することができるという利点もある。
【００７８】
Ｂ．第２実施例：
第２実施例では、第１実施例と同様に表示条件が決定されるが、表示部５２０（図３）の表示内容が変更されている。
【００７９】
図１１は、第２実施例における表示部５２０の表示内容を示す説明図であり、図８に対応する。図８と比較して分かるように、本実施例では、撮影画像ＣＩ内に、設定画像ＳＩと２つの参照画像ＲＩｔ，ＲＩｗとが重畳されている。なお、２つの参照画像ＲＩｔ，ＲＩｗは、設定画像生成部４２２によって生成されている。
【００８０】
２つの参照画像ＲＩｔ，ＲＩｗは、投写面上における画像の最小表示領域と最大表示領域とを示している。具体的には、第１の参照画像ＲＩｔは、変倍レンズがテレ端に設定される場合の最小表示領域を示しており、第２の参照画像ＲＩｗは、変倍レンズがワイド端に設定される場合の最大表示領域を示している。なお、２つの参照画像ＲＩｔ，ＲＩｗのサイズは、ステップＳ１０３で測定された距離に応じて決定されている。例えば、図４に示すように、距離ＬがＬｓの位置に投写面が存在する場合には、第１の参照画像ＲＩｔは、幅Ｄｔの最小表示領域に対応するサイズで表示され、第２の参照画像ＲＩｗは、幅Ｄｗの最大表示領域に対応するサイズで表示される。
【００８１】
このように、表示部５２０に、投写面上における画像の最大表示領域と最小表示領域とを示す参照画像ＲＩｔ，ＲＩｗを表示させれば、ユーザは、参照画像ＲＩｔ，ＲＩｗを利用して、設定画像ＳＩを適切なサイズに容易に設定することができる。また、所望の表示領域が最小表示領域より小さい場合または最大表示領域より大きい場合には、ユーザは、プロジェクタを移動させることによって、プロジェクタと投写面との間の距離を変更し、最小表示領域および最大表示領域を変更することができるため、表示領域の設定作業に要する時間を短縮することができるという利点もある。
【００８２】
Ｃ．第３実施例：
第１および第２実施例では、設定画像ＳＩのサイズの調整可能な範囲は、投写光学系の変倍条件の変更によって設定可能な範囲に対応して制限されているが、本実施例では、画像データ処理条件を作成することによって、上記の制限が緩和されている。なお、本実施例では、第１実施例（図５）と同様の手順で表示条件が決定されるが、ステップＳ１０５，Ｓ１０６の処理内容が変更されている。
【００８３】
具体的には、本実施例では、ステップＳ１０５（図５）において、設定画像ＳＩのサイズが、変倍条件の変更によって設定可能な最小表示領域に対応する最小サイズよりも小さく設定されることを許容している。そして、この場合には、ステップＳ１０６（図５）において、表示条件作成部４２０は、投写光学系調整部３５０によって利用される合焦条件および変倍条件を作成すると共に、表示画像処理部４１０によって利用される画像データ縮小条件を作成して、表示条件メモリ４３０に格納する。
【００８４】
投写面上に画像を表示する際には、投写光学系調整部３５０は、合焦条件および変倍条件に従って、投写光学系３４０のフォーカスレンズおよび変倍レンズの配置を調整する。また、表示画像処理部４１０は、作成された画像データ縮小条件に従って、原画像データに対して縮小処理を行い、処理済みの表示画像データを液晶ライトバルブ３００Ｒ，Ｇ，Ｂに与える。
【００８５】
図１２は、液晶ライトバルブ３００Ｒ，Ｇ，Ｂに形成され得る２種類の画像を示す説明図である。図１２（Ａ），（Ｂ）は、それぞれ、設定画像ＳＩのサイズが上記の最小サイズよりも大きく設定された場合と小さく設定された場合とに、液晶ライトバルブに形成される画像を示している。図１２（Ａ）では、画像は、液晶ライトバルブのほぼ全域に形成されており、図１２（Ｂ）では、画像は、液晶ライトバルブの一部の領域に形成されている。図１２（Ｂ）に示すように、画像データ縮小条件に従って、液晶ライトバルブに形成される画像のサイズを縮小すれば、投写光学系の変倍条件の変更のみでは設定不可能な比較的小さな表示領域に、画像を表示させることができる。
【００８６】
Ｄ．第４実施例：
第１ないし第３実施例では、投写面上に表示される画像が歪みを有していない場合について説明したが、投写表示される画像は、台形歪みを有する場合がある。なお、この台形歪みは、プロジェクタＰＪから射出される光の中心軸が、スクリーンＳＣの法線と一致していない場合に生じる。本実施例では、投写面上に画像を表示させずに、画像データ処理条件を作成することによって、台形歪みの補正を行うことができるように工夫している。なお、本実施例においても、第１実施例（図５）と同様の手順で表示条件が決定されるが、ステップＳ１０５，Ｓ１０６の処理内容が変更されている。
【００８７】
図１３は、表示部５２０に表示される撮影画像ＣＩａを示す説明図であり、図７に対応する。図示するように、投写面上に表示される画像が歪みを有する場合には、表示部５２０に表示される撮影画像ＣＩａも歪む。
【００８８】
図１４は、表示部５２０に最初に表示される設定画像ＳＩａを示す説明図であり、図８に対応する。図示するように、表示部５２０に表示される設定画像ＳＩａの形状は、矩形であるが、撮影画像ＣＩａ内の壁面やスクリーンＳＣの形状は、台形に歪んでいる。また、本実施例では、設定画像ＳＩａの内容が変更されている。具体的には、本実施例の設定画像ＳＩａは、４つのサイズハンドル部Ｈｓと共に、４つの形状ハンドル部Ｈｃを備えている。４つの形状ハンドル部Ｈｃは、設定画像ＳＩａの四隅に設けられており、設定画像ＳＩａの形状を変更する際に使用される。
【００８９】
本実施例のステップＳ１０５（図５）では、ユーザは、撮影画像ＣＩａと設定画像ＳＩａとの関係を確認しながら、設定画像ＳＩａのサイズおよび形状を調整することによって、投写面上における画像の表示領域を決定する。
【００９０】
具体的には、前述のように、ユーザは、タッチパネル５３０を操作することによって、より具体的には、設定画像ＳＩａのサイズハンドル部Ｈｓを操作することによって、設定画像ＳＩａのサイズを変更する。図１４では、設定画像ＳＩａのサイズは、小さく変更されている。
【００９１】
図１５は、表示部５２０に表示されるサイズ変更済みの設定画像ＳＩａを示す説明図である。設定画像ＳＩａのサイズが変更されると、ユーザは、次に、タッチパネル５３０を操作することによって、設定画像ＳＩａの形状を変更する。具体的には、設定画像ＳＩａの形状の変更は、まず、ユーザがタッチパネル５３０上で、設定画像ＳＩａの形状ハンドル部Ｈｃをタップし、次に、形状ハンドル部Ｈｃを設定画像ＳＩａの内側または外側に向かってドラッグすることによって、実行される。図１５では、設定画像ＳＩａの右上端および左上端の２つの形状ハンドル部Ｈｃが設定画像ＳＩａの内側に向かってドラッグされており、設定画像ＳＩａの形状が台形に変更されている。
【００９２】
図１６は、表示部５２０に表示される形状変更済みの設定画像ＳＩａを示す説明図である。図示するように、設定画像ＳＩａの形状は、撮影画像ＣＩａ内のスクリーンＳＣの形状とほぼ相似に設定されている。
【００９３】
本実施例のステップＳ１０６（図５）でも、ユーザが操作部６００に設けられた保存ボタンを操作することによって、表示条件が保存される。ただし、本実施例では、合焦条件と変倍条件とに加えて、台形歪みを補正するための画像データ変形条件が保存される。
【００９４】
具体的には、表示条件作成部４２０は、ステップＳ１０５で得られた調整済みの設定画像ＳＩａの形状に整合する画像データ変形条件を作成して、表示条件メモリ４３０に格納する。
【００９５】
投写面上に画像を表示する際には、表示画像処理部４１０は、作成された画像データ変形条件に従って、原画像データに対して形状変更処理を行い、処理済みの表示画像データを液晶ライトバルブ３００Ｒ，Ｇ，Ｂに与える。
【００９６】
図１７は、液晶ライトバルブ３００Ｒ，Ｇ，Ｂに形成され得る２種類の画像を示す説明図である。図１７（Ａ），（Ｂ）は、それぞれ、設定画像ＳＩａの形状が変更されていない場合と変更された場合とに、液晶ライトバルブに形成される画像を示している。図１７（Ａ）では、画像は、液晶ライトバルブのほぼ全域に形成されており、矩形形状を有している。図１７（Ｂ）では、画像は、液晶ライトバルブの一部の領域に形成されており、台形形状を有している。図１７（Ｂ）に示すように、画像データ変形条件に従って、液晶ライトバルブに形成される画像の形状を変更すれば、投写面上で発生し得る画像の台形歪みを補正することができる。
【００９７】
図１８は、プロジェクタＰＪによって投写面上に表示される画像ＰＩａを示す説明図である。第１実施例と同様に、プロジェクタＰＪは、設定された表示条件に従って画像ＰＩａを表示している。具体的には、図１７（Ｂ）に示すように、液晶ライトバルブに形成される画像の形状を変更することによって、投写面上に歪みの無い画像を表示している。
【００９８】
本実施例では、設定画像の形状の変更は、投写表示される画像の台形歪みを補正するために行われているが、これに代えて、投写表示される画像の形状を任意の形状に変更するために行われていてもよい。このように、画像データ変形条件を作成すれば、投写面上に画像を表示させずに、投写面上における画像の表示領域の形状（すなわち、画像の形状）を容易に変更することができる。
【００９９】
なお、この発明は上記の実施例や実施形態に限られるものではなく、その要旨を逸脱しない範囲において種々の態様において実施することが可能であり、例えば次のような変形も可能である。
【０１００】
（１）上記実施例では、プロジェクタは、バッテリ７２０を備えているが、バッテリは省略してもよい。ただし、上記実施例のように、バッテリを用いる場合には、外部から電力の供給が無い場合にも、表示領域の設定を行うことができるという利点がある。
【０１０１】
（２）上記実施例では、投写光学系３４０は、合焦状態を維持したまま変倍条件を変更可能なズームレンズを備えているが、これに代えて、変倍条件を変更する際に合焦状態が維持されない可変焦点レンズ（バリフォーカルレンズ）を備えるようにしてもよい。
【０１０２】
（３）上記実施例では、投写面上に実際に画像を表示する際に、予め決定された合焦条件および変倍条件に従って投写光学系３４０のレンズ群の配置の調整が実行されているが、これに代えて、合焦条件および変倍条件を決定する際に、投写光学系３４０のレンズ群の配置の調整が行われるようにしてもよい。例えば、設定画像のサイズを調整する際に、現行の設定画像のサイズに応じて、投写光学系３４０の変倍レンズの配置が逐次調整されるようにしてもよい。
【０１０３】
（４）第２実施例では、２つの参照画像が用いられているが、これに代えて、１つの参照画像が用いられるようにしてもよい。具体的には、変倍条件の変更によって設定可能な最大表示領域に対応する最大サイズと、前記変倍条件の変更によって設定可能な最小表示領域に対応する最小サイズと、を境界とする帯状の１つの参照画像が用いられるようにしてもよい。なお、この場合には、参照画像は、ユーザが撮影画像の内容を確認できるように、半透明の状態で撮影画像と合成される。
【０１０４】
一般に、設定画像生成部は、設定画像と共に、変倍条件の変更によって設定可能な最大表示領域に対応する最大サイズと、変倍条件の変更によって設定可能な最小表示領域に対応する最小サイズと、を示す少なくとも１つの参照画像を、表示部に表示させればよい。
【０１０５】
（５）上記実施例では、距離センサ５４０によって測定された距離に応じて、投写光学系調整部３５０によって利用される投写光学系３４０の合焦条件が決定されているが、合焦条件は、他の方法で決定されるようにしてもよい。例えば、合焦条件は、投写面上に実際に画像が表示される際に、ユーザが投写光学系３４０のフォーカスリング３４１を操作することによって、決定されるようにしてもよい。あるいは、合焦条件は、投写面上に実際に画像が表示される際に、撮影部５１０が投写画像を撮影し、撮影された投写画像のコントラストが向上するようにフォーカスレンズの配置を調整することによって、決定されるようにしてもよい。このように、合焦条件は、投写面上に画像が表示された状態で決定されてもよい。ただし、上記実施例のように、測定された距離を用いる場合には、合焦条件を容易に設定することができるという利点がある。
【０１０６】
一般に、表示条件決定部は、投写面までの距離を測定するための距離センサを備え、撮影画像内の設定画像のサイズと測定された距離とに応じて、投写光学系調整部によって利用される投写光学系の変倍条件を作成すればよい。
【０１０７】
（６）上記実施例では、ユーザは、設定画像を調整でき、撮影画像を調整できない。しかしながら、これに代えて、ユーザは、設定画像を調整できず、撮影画像を調整できるようにしてもよい。あるいは、ユーザは、設定画像と撮影画像との双方を調整できるようにしてもよい。なお、撮影画像の調整（すなわち、撮影画像が示す領域の調整）は、撮影部５１０によって得られた画像データを拡大処理または縮小処理することによって実現可能である。あるいは、撮影画像の調整は、撮影部５１０の画角を変更することによって実現可能である。この場合には、撮影部５１０は、投写光学系３４０および投写光学系調整部３５０と同様の機能を有する撮影光学系および撮影光学系調整部を備えていればよい。なお、撮影部は、投写光学系３４０を撮影光学系として利用して、投写面を撮影するようにしてもよい。
【０１０８】
また、上記実施例では、設定画像のサイズは、ユーザがタッチパネル５３０を操作することによって調整されているが、これに代えて、ユーザが投写光学系３４０の変倍リング３４２を操作することによって調整されてもよい。この場合には、変倍レンズの現行の配置を検出し、検出結果に応じて設定画像のサイズが変更されればよい。なお、この場合には、設定画像を用いて投写面上における画像の表示領域を設定すると同時に、投写光学系の変倍条件が決定されることとなる。
【０１０９】
一般には、表示条件決定部は、表示領域を示す設定画像を生成し、設定画像を撮影画像と共に表示部に表示させるための設定画像生成部と、撮影画像と設定画像との関係の調整をユーザに許容するためのユーザ調整部と、を備えていればよい。
【０１１０】
（７）上記実施例では、投写面にスクリーンＳＣが設けられているが、スクリーンＳＣは、省略されてもよい。ただし、撮影部５１０の撮影領域内にスクリーンＳＣが存在する場合には、自動的に表示条件を決定することも可能である。具体的には、画像処理技術を用いて、設定画像が撮影画像内に表示されるスクリーン画像の内側領域に収まり、かつ、スクリーン画像に相似になるように、設定画像のサイズや形状を自動的に調整し、調整済みの設定画像に整合するように、変倍条件や画像データ縮小条件を決定すればよい。
【０１１１】
また、上記実施例では、投写光学系３４０が変倍レンズを備えており、変倍条件が作成されているが、投写光学系３４０が変倍レンズを備えていない場合には、変倍条件の作成は省略されてもよい。この場合には、第３実施例で説明したように、原画像データに対して縮小処理を行うための画像データ縮小条件が作成されればよい。この場合にも、投写面上における画像の表示領域を設定することができる。ただし、上記実施例のように、変倍条件を作成すれば、画像の表示領域の設定を容易に行うことができる。また、原画像データに対して縮小処理が施されないため、投写面上に表示される画像の画質の劣化を防止することができるという利点がある。
【０１１２】
また、上記実施例では、変倍条件や、画像データ縮小条件、画像データ変形条件などの具体的な表示条件が作成されているが、これに代えて、概略の表示条件が作成されるようにしてもよい。例えば、調整済みの設定画像自体を表示条件として作成してもよい。なお、この場合には、投写面上に実際に画像を表示する際に、撮影部が投写画像を撮影し、撮影画像内に含まれる投写画像と、表示条件としての調整済みの設定画像と、が整合するように、投写光学系３４０のレンズ群の配置や、表示画像処理部４１０の処理内容を調整すればよい。
【０１１３】
さらに、上記実施例では、設定画像が用いられているが、設定画像は省略されてもよい。この場合には、例えば、表示部５２０に表示される撮影領域が、表示領域とほぼ一致するように設定されていればよい。
【０１１４】
一般には、表示条件決定部は、表示部に表示された撮影画像内の情報を用いて、投写面上における画像の表示領域を設定することによって、プロジェクタの表示条件を決定すればよい。
【０１１５】
（８）上記実施例では、プロジェクタは、液晶ライトバルブに代えて、ＤＭＤ（ディジタル・マイクロミラー・デバイス）（ＴＩ社の商標）などのマイクロミラー型光変調装置を備えていてもよい。あるいは、プロジェクタは、高輝度ブラウン管や、プラズマディスプレイパネル、エレクトロルミネッセンスディスプレイパネル、発光ダイオード型ディスプレイパネル、フィールドエミッションディスプレイパネルなどを備えていてもよい。このように、画像光変調装置としては、非自発光型の装置や、自発光型の装置を用いることができる。一般には、画像光形成装置は、表示画像データに応じて画像を形成する光を射出すればよい。
【０１１６】
（９）上記実施例において、ハードウェアによって実現されていた構成の一部をソフトウェアに置き換えるようにしてもよく、逆に、ソフトウェアによって実現されていた構成の一部をハードウェアに置き換えるようにしてもよい。
【０１１７】
（１０）上記実施例では、プロジェクタは、表示条件を決定するための機能をプロジェクタ内部に備えているが、省略してもよい。この場合には、上記の機能を有するプロジェクタ用のアダプタを別途準備すればよい。こうすれば、表示条件決定機能を有していない既存のプロジェクタに、アダプタを接続することによって、投写面上に画像を表示させずに、投写面上における画像の表示領域を設定することが可能となる。
【０１１８】
図１９は、プロジェクタ用アダプタＡＤの内部構成を示すブロック図である。図示するように、アダプタＡＤは、表示条件決定機能を有していないプロジェクタＰＪＺと接続される。なお、アダプタＡＤは、プロジェクタＰＪＺの近傍に配置されることが好ましく、例えば、プロジェクタＰＪＺの上面に載置されてもよいし、プロジェクタＰＪＺの側方に配置されてもよい。
【０１１９】
アダプタＡＤは、撮影部５１０と表示部５２０と表示条件決定部９００とを備えている。なお、表示条件決定部９００は、図３の６つの要素４０１，４２０，４３０，５３０，５４０，６００の機能を有している。また、アダプタＡＤは、プロジェクタＰＪＺと通信するための送信部９１０と受信部９２０とを備えている。受信部９２０は、プロジェクタＰＪＺから表示条件を決定するのに必要な情報を受信する。なお、この情報には、例えば、投写光学系の設定可能な変倍条件や設定可能な合焦条件などのプロジェクタＰＪＺに関するプロジェクタ固有の情報が含まれる。表示条件決定部９００は、上記実施例（図５）と同様の手順で表示条件を作成する。送信部９１０は、該表示条件を示すデータをプロジェクタＰＪＺに送信する。プロジェクタＰＪＺは、与えられたデータに従って、例えば、投写光学系のレンズ群の配置を調整する。
【０１２０】
なお、図１９では、プロジェクタＰＪＺからの情報を取得するために受信部９２０が設けられているが、省略可能である。この場合には、例えば、アダプタＡＤに複数種類のプロジェクタの情報を予め登録しておき、ユーザがプロジェクタの種類（機種）を選択するようにすればよい。ただし、上記のように、アダプタが受信部を備えていれば、登録されていない種類のプロジェクタにも容易に対応することができ、この結果、アダプタと接続されるプロジェクタに適した表示条件を容易に作成することができるという利点がある。
【図面の簡単な説明】
【図１】本発明の第１実施例としてのプロジェクタＰＪの外観を示す説明図である。
【図２】プロジェクタＰＪの光学的構成を示す説明図である。
【図３】プロジェクタＰＪの電気的構成を示すブロック図である。
【図４】投写光学系３４０の投写可能な領域と撮影部５１０の撮影可能な領域との関係を示す説明図である。
【図５】プロジェクタの表示条件の決定手順を示すフローチャートである。
【図６】投写面を示す説明図である。
【図７】表示部５２０に表示された撮影画像ＣＩを示す説明図である。
【図８】表示部５２０に表示された設定画像ＳＩを示す説明図である。
【図９】設定画像ＳＩのサイズの調整方法を示す説明図である。
【図１０】プロジェクタＰＪによって投写面上に表示される画像ＰＩを示す説明図である。
【図１１】第２実施例における表示部５２０の表示内容を示す説明図である。
【図１２】液晶ライトバルブ３００Ｒ，Ｇ，Ｂに形成され得る２種類の画像を示す説明図である。
【図１３】表示部５２０に表示される撮影画像ＣＩａを示す説明図であり、図７に対応する。
【図１４】表示部５２０に最初に表示される設定画像ＳＩａを示す説明図であり、図８に対応する。
【図１５】表示部５２０に表示されるサイズ変更済みの設定画像ＳＩａを示す説明図である。
【図１６】表示部５２０に表示される形状変更済みの設定画像ＳＩａを示す説明図である。
【図１７】液晶ライトバルブ３００Ｒ，Ｇ，Ｂに形成され得る２種類の画像を示す説明図である。
【図１８】プロジェクタＰＪによって投写面上に表示される画像ＰＩａを示す説明図である。
【図１９】プロジェクタ用アダプタＡＤの内部構成を示すブロック図である。
【符号の説明】
１００…照明光学系
１１０…光源ランプ駆動部
２００…色光分離光学系
２２０…リレー光学系
３００Ｒ，Ｇ，Ｂ…液晶ライトバルブ
３２０…クロスダイクロイックプリズム
３４０…投写光学系
３４１…フォーカスリング
３４２…変倍リング
３５０…投写光学系調整部
４００…メイン処理部
４０１…ＣＰＵ
４１０…表示画像処理部
４１２…画像入力部
４２０…表示条件作成部
４２２…設定画像生成部
４３０…表示条件メモリ
５１０…撮影部
５２０…表示部
５３０…タッチパネル
５４０…距離センサ
６００…操作部
６１０…リモコンＩＦ部
７１０…外部電源供給部
７２０…バッテリ
８００…筐体
９００…表示条件決定部
９１０…送信部
９２０…受信部
ＭＣ…メモリカード
ＰＣ…コンピュータ
ＰＪ…プロジェクタ
ＲＣ…リモコン
ＳＣ…スクリーン
ＣＩ，ＣＩａ…撮影画像
ＳＩ，ＳＩａ…設定画像
Ｈｓ…サイズハンドル部
Ｈｃ…形状ハンドル部
ＲＩｔ，ＲＩｗ…参照画像
【図１】
2004304472.tif 000003
【図２】
2004304472.tif 000004
【図３】
2004304472.tif 000005
【図４】
2004304472.tif 000006
【図５】
2004304472.tif 000007
【図６】
2004304472.tif 000008
【図７】
2004304472.tif 000009
【図８】
2004304472.tif 000010
【図９】
2004304472.tif 000011
【図１０】
2004304472.tif 000012
【図１１】
2004304472.tif 000013
【図１２】
2004304472.tif 000014
【図１３】
2004304472.tif 000015
【図１４】
2004304472.tif 000016
【図１５】
2004304472.tif 000017
【図１６】
2004304472.tif 000018
【図１７】
2004304472.tif 000019
【図１８】
2004304472.tif 000020
【図１９】
2004304472.tif 000021